(57)【要約】【課題】ＯＦＤＭシステムのためのスロットからインターレースおよびインターレースからスロットへの変換器。【解決手段】ＯＦＤＭシステムにおいて、複数（Ｍ個）のインターレースが、周波数サブバンドのＭ個の重なり合っていない組に対して定義され、また、固定インデックスを持つＭ個のスロットが定義される。データストリームおよびパイロットはスロットに写像される。次にスロットは、スロットからインターレースへの写像方式に基づいてインターレースへ写像される。この方式はすべてのスロットに対して周波数ダイバーシチおよび良好な特性を実現できるものである。送信機において、スロットからインターレースへの変換器はスロットをインターレースに写像する。スロットからインターレースへの変換器は複数のマルチプレクサおよび１つの制御ユニットを含む。  【選択図】      図７Ａ
2007538477.tif 000002
【特許請求の範囲】
【請求項１】
複数のスロットを複数のインターレースへ写像するように構成された複数のマルチプレクサであって、複数のスロットが複数の伝送ユニットに対応し、かつ複数のインターレースが複数の組の周波数サブバンドに対応しているマルチプレクサと、
複数のマルチプレクサのための少なくとも１つの制御信号を生成するように構成された制御ユニットとを含む装置。
【請求項２】
複数のマルチプレクサが、複数のスロットを複数のインターレースの異なるインターレースへ異なる時間インターバルに写像するように構成された請求項１に記載の装置。
【請求項３】
複数のスロットが、パイロット用に用いる少なくとも１つのパイロットスロットとデータ用に用いる少なくとも２つのデータスロットとを含む請求項１に記載の装置。
【請求項４】
複数のマルチプレクサが、少なくとも１つのパイロットスロットを複数のインターレースの中の少なくとも２つのインターレースへ異なる時間インターバルに写像するように構成された請求項３に記載の装置。
【請求項５】
複数のマルチプレクサが、少なくとも２つのデータスロットの各々を、異なる時間インターバルにパイロットスロット用の少なくとも２つのインターレースとの変化する距離にある異なるインターレースへ写像するように構成された請求項４に記載の装置。
【請求項６】
複数のマルチプレクサが、パイロット用に用いる１つのスロットを２つのインターレースへ交互のシンボル期間に写像するように構成された請求項１に記載の装置。
【請求項７】
複数のマルチプレクサが、パイロット用に用いる１つのスロットを複数のインターレースへ複数のシンボル期間に写像するように構成された請求項１に記載の装置。
【請求項８】
複数のマルチプレクサが、複数のスロットに対するシンボルを受信し、そのシンボルを複数のインターレースへ提供するように構成された請求項１に記載の装置。
【請求項９】
複数のマルチプレクサが、複数のインターレースに対するインターレースインデックスを受信し、複数のスロットに対するインターレースインデックスを出力するように構成された請求項１に記載の装置。
【請求項１０】
複数のスロットが、パイロット用に用いる１つのパイロットスロットおよびデータ用に用いる少なくとも２つのデータスロットを含み、複数のマルチプレクサの１つが、パイロットスロットに対するインターレースインデックスを受信するように構成され、かつ複数のマルチプレクサの残りマルチプレクサが、少なくとも２つのデータスロットに対するインターレースオフセットを受信するように構成された請求項１に記載の装置。
【請求項１１】
パイロットスロットに対するインターレースインデックスとインターレースオフセットとの和を取り、かつ少なくとも２つのデータスロットに対するインターレースインデックスを出力するように構成された複数の加算器をさらに含む請求項１０に記載の装置。
【請求項１２】
複数のマルチプレクサが、少なくとも２段階に配置された請求項１に記載の装置。
【請求項１３】
複数のスロットが、パイロット用に用いる少なくとも１つのパイロットスロットおよびデータ用に用いる少なくとも２つのデータスロットを含み、１つの段のマルチプレクサが少なくとも１つのパイロットスロットを受信するように構成され、かつ残りの各段のマルチプレクサが少なくとも２つのデータスロットを受信するように構成された請求項１２に記載の装置。
【請求項１４】
制御ユニットが、少なくとも２つの段のマルチプレクサの中の各段のマルチプレクサ用の単一の制御信号を生成するように構成された請求項１２に記載の装置。
【請求項１５】
制御ユニットが、各段のマルチプレクサ用の１つのカウンタ、関連した段のマルチプレクサ用の制御信号を生成する各カウンタの、少なくとも２つのカウンタを含む請求項１２に記載の装置。
【請求項１６】
複数のマルチプレクサの各々が、複数のインターレースの１つに対しており、各マルチプレクサが複数のスロットを受信するように、かつ関連するインターレースに対する複数のスロットの異なるスロットを異なる時間インターバルに出力するように構成された請求項１に記載の装置。
【請求項１７】
複数のマルチプレクサが、スロットからインターレースへの写像方式に基づいて決定される並べ替えた順序で複数のスロットを受信するように構成された請求項１に記載の装置。
【請求項１８】
少なくとも１つの制御信号が、各マルチプレクサの複数の入力を、各時間インターバルに１つの入力で、順次選択する請求項１に記載の装置。
【請求項１９】
複数のマルチプレクサが、時間インターバルに対してスロット番号に対するインターレース番号を提供するように構成された請求項１に記載の装置。
【請求項２０】
複数のスロット用の第１の複数のバッファであって、第１の複数のバッファの１つがスロット番号に基づいて選択されるバッファと、
複数のインターレース用の第２の複数のバッファであって、第２の複数のバッファの１つが複数のマルチプレクサによって提供されたインターレース番号に基づいて選択されるバッファとをさらに含む請求項１９に記載の装置。
【請求項２１】
複数組の周波数サブバンドが、重なり合っておらず、直交周波数分割多重（ＯＦＤＭ）により形成された請求項１に記載の装置。
【請求項２２】
複数のスロットを複数のインターレースへ写像するための手段であって、複数のスロットが複数の伝送ユニットに対応し、かつ複数のインターレースが複数組の周波数サブバンドに対応している手段と、
複数のスロットを複数のインターレースの異なるインターレースへ異なる時間インターバルに写像するための少なくとも１つの制御信号を生成するための手段とを含む装置。
【請求項２３】
複数のスロットが、パイロット用に用いる少なくとも１つのパイロットスロットとデータ用に用いる少なくとも２つのデータスロットを含む請求項２２に記載の装置。
【請求項２４】
複数のスロットを複数のインターレースへ写像するための手段が、
少なくとも１つのパイロットスロットを異なる時間インターバルに複数のインターレースの中の少なくとも２つのインターレースへ写像するための手段と、
少なくとも２つのデータスロットの各々を、異なる時間インターバルにパイロットスロット用の少なくとも２つのインターレースとの変化する距離にある異なるインターレースへ写像するための手段を含む請求項２３に記載の装置。
【請求項２５】
スロット番号に基づいて第１の複数のバッファの１つを選択するための手段と、
複数のスロットを複数のインターレースへ写像するための手段により提供されたインターレース番号に基づいて第２の複数のバッファの１つを選択するための手段とをさらに含む請求項２２に記載の装置。
【請求項２６】
複数のスロットを複数のインターレースへ写像することであって、複数のスロットが複数の伝送ユニットに対応しておりかつ複数のインターレースが複数組の周波数サブバンドに対応している写像と、
複数のスロットを複数のインターレースの異なるインターレースへ異なる時間インターバルに写像するための少なくとも１つの制御信号を生成することとを含む方法。
【請求項２７】
複数のスロットがパイロット用に用いる少なくとも１つのパイロットスロットと、データ用の少なくとも２つのデータスロットを含む請求項２６に記載の方法。
【請求項２８】
複数のスロットを複数のインターレースへ写像することが、
少なくとも１つのパイロットスロットを異なる時間インターバルに複数のインターレースの中の少なくとも２つのインターレースへ写像することと、
少なくとも２つのデータスロットの各々を、異なる時間インターバルにパイロットスロット用の少なくとも２つのインターレースとの変化する距離にある異なるインターレースへ写像することとを含む請求項２９に記載の装置。
【請求項２９】
スロット番号に基づいて第１の複数のバッファの１つを選択することと、
複数のスロットを複数のインターレースへ写像することにより提供されたインターレース番号に基づいて第２の複数のバッファの１つを選択することとをさらに含む請求項２６に記載の方法。
【請求項３０】
複数のインターレースを複数のスロットへ写像するように構成された複数のマルチプレクサであって、複数のスロットが複数の伝送ユニットに対応し、かつ複数のインターレースが複数組の周波数サブバンドに対応しているマルチプレクサと、
複数のマルチプレクサのための少なくとも１つの制御信号を生成するように構成された制御ユニットとを含む装置。
【請求項３１】
複数のマルチプレクサが、複数のインターレースを複数のスロットの異なるスロットに異なる時間インターバルに写像するように構成された請求項３０に記載の装置。
【請求項３２】
複数のマルチプレクサが、少なくとも２段階に配置された請求項３０に記載の装置。
【請求項３３】
制御ユニットが、少なくとも２つの段のマルチプレクサの中の各段のマルチプレクサ用の単一の制御信号を生成するように構成された請求項３２に記載の装置。
【請求項３４】
複数のマルチプレクサの各々が、複数のスロットの１つに対しており、各マルチプレクサが複数のインターレースを受信するように、かつ関連するスロットに対する複数のインターレースの異なるインターレースを異なる時間インターバルに提供するように構成された請求項３０に記載の装置。
【請求項３５】
複数のマルチプレクサが、スロットからインターレースへの写像方式に基づいて決定される並べ替えた順序で複数のインターレースを受信するように構成された請求項３０に記載の装置。
【請求項３６】
複数のインターレース用の第１の複数のバッファであって、第１の複数のバッファの１つが制御ユニットに提供されたインターレース番号に基づいて選択される複数のバッファと、
複数のスロット用の第２の複数のバッファであって、第２の複数のバッファの１つが複数のマルチプレクサによって提供されたスロット番号に基づいて選択される複数のバッファとをさらに含む請求項３０に記載の装置。
【請求項３７】
複数組の周波数サブバンドが、重なり合っておらず、直交周波数分割多重（ＯＦＤＭ）により形成された請求項３０に記載の装置。
【請求項３８】
複数のインターレースを複数のスロットへ写像するための手段であって、複数のスロットが複数の伝送ユニットに対応し、かつ複数のインターレースが複数組の周波数サブバンドに対応している手段と、
複数のインターレースを複数のスロットの異なるスロットへ異なる時間インターバルに写像するための少なくとも１つの制御信号を生成するための手段とを含む装置。
【請求項３９】
インターレース番号に基づいて第１の複数のバッファの１つを選択するための手段と、
複数のインターレースを複数のスロットへ写像するための手段により提供されたスロット番号に基づいて第２の複数のバッファの１つを選択するための手段とをさらに含む請求項３８に記載の方法。
【請求項４０】
複数のインターレースを複数のスロットへ写像することであって、複数のスロットが複数の伝送ユニットに対応しておりかつ複数のインターレースが複数組の周波数サブバンドに対応している写像と、
複数のインターレースを複数のスロットの異なるスロットへ異なる時間インターバルに写像するための少なくとも１つの制御信号を生成することとを含む方法。
【請求項４１】
インターレース番号に基づいて第１の複数のバッファの１つを選択することと、
複数のインターレースを複数のスロットへ写像することにより提供されたスロット番号に基づいて第２の複数のバッファの１つを選択することをさらに含む請求項４０に記載の方法。
【発明の詳細な説明】
【技術分野】
【０００１】
［関連出願］
本出願は、２００４年５月１８日出願の米国仮出願番号60/572、425“Slot to Interlace Conversion Architecture for OFDM Systems”（ＯＦＤＭシステムのためのスロットからインターレースへの変換アーキテクチャ）の利益を主張する。
【０００２】
［発明の分野］
本開示は一般に通信に関する。より詳細には通信システムにおけるデータとパイロットを多重化するための方法に関する。
【背景技術】
【０００３】
直交周波数分割多重（ＯＦＤＭ）通信システムはデータおよびパイロット伝送にＯＦＤＭを利用する。ＯＦＤＭはシステム帯域幅全体を複数（Ｋ個）の直交周波数サブバンドに分割する多搬送波変調方法である。これらのサブバンドはトーン、搬送波、副搬送波、ビン、および周波数チャンネルとも呼ばれる。ＯＦＤＭにより、各サブバンドは、データで変調されるかもしれないそれぞれの副搬送波に関係づけられている。
【０００４】
ＯＦＤＭシステムの基地局は、同時に複数の無線機器に複数のデータストリームを送信するかもしれない。これらのデータストリームは、性質として連続またはバースト性であるかもしれないし、固定または可変データレートであるかもしれないし、また同じまたは異なる符号化並びに変調方式を用いるかもしれない。基地局は、また、無線機器が時間同期、周波数トラッキング、チャネル推定その他のような多くの機能を実行することに役立つパイロットを送信するかもしれない。パイロットは送信機と受信機の双方が事前に知っている伝送信号である。
【０００５】
複数のデータストリームを同時伝送のために多重化することは、これらのデータストリームが性質として可変、たとえば、時間と共に変化するデータレートおよび／または符号化並びに変調方式である場合には、困難なことであるかもしれない。多重化は、データストリームが（１）付加的な容量を抑圧するために十分小さい単位の送信資源を割り当てることができるように、また（２）周波数ダイバーシチおよび良好な特性を実現できるようなものであるべきである。パイロットは、種々のチャネル環境で良好なチャンネル推定が得られるように多重化されるべきである。チャネル推定は、無線機器によってデータ検出および復号用に用いられ、特性に直接影響を与える。
【発明の開示】
【発明が解決しようとする課題】
【０００６】
したがって、当業者においてＯＦＤＭシステムにおけるデータとパイロットを多重化する技術が必要である。
【課題を解決するための手段】
【０００７】
ＯＦＤＭシステムにおけるデータとパイロットを多重化するための技術がここに説明される。複数（Ｍ個）のインターレースはＯＦＤＭで形成された周波数サブバンドのＭ個の重なり合っていない組に対して定義される。Ｍ個のスロットも定義され、割当可能な伝送ユニットと見なされるかもしれない。データストリームおよびパイロットは固定インデックスが割り当てられたスロットに写像されるかもしれない。次に、スロットはスロットからインターレース（以下スロット−インターレースという）への写像方式に基づいてインターレースに写像される。この方式はすべてのスロットに対して周波数ダイバーシチおよび良好なチャンネル推定並びに検出性能を実現できるものである。
【０００８】
送信機（例えば基地局）において、スロット−インターレース変換器（ＳＩＣ）はスロットをインターレースに写像する。一実施例において、スロット−インターレース変換器は複数のマルチプレクサおよび制御ユニットを含む。マルチプレクサは、スロット−インターレース写像方式に基づいて、Ｍ個のスロットをＭ個のインターレースへ写像する。制御ユニットはマルチプレクサ用に少なくとも１つの制御信号を発生する。マルチプレクサは、スロット−インターレース写像方式に従って種々の方法で配置され、制御されるかもしれない。例えば、マルチプレクサは１つ以上の段階に配置されるかもしれないし、スロットは並べ替えてまたは線形順序でマルチプレクサに提供されるかもしれないし、共通または個々の制御信号はマルチプレクサに提供されるかもしれない、等々である。スロット−インターレース変換器は、データおよびパイロットシンボルをスロットからインターレースへ伝送させるかもしれない。または、これらのデータおよびパイロットシンボルを伝送させるために用いられる制御信号を生成するかもしれない。
【０００９】
受信機（例えば、無線機器）において、インターレースからスロット（以下インターレース−スロットという）への変換器はインターレースをスロットへ写像する。一実施例において、インターレース−スロット変換器は複数のマルチプレクサと制御ユニットを含む。マルチプレクサは、送信機で用いるスロット−インターレース写像方式に基づいてインターレースをスロットに写像する。制御ユニットはマルチプレクサ用の少なくとも１つの制御信号を発生する。また、マルチプレクサは、スロット−インターレースへの写像方式に従って、種々の方法で、配置され、制御されるかもしれない。
【００１０】
本発明の種々の態様と実施例は以下により詳細に説明される。
【発明を実施するための最良の形態】
【００１１】
同じ参照番号は全般にわたり同一として取り扱う図面と共に、本発明の特徴および本質は、以下に記載された詳細な説明からより明らかになるだろう。
【００１２】
「代表的」という言葉は、ここでは「例、実例、または例証として役立つこと」を意味するために用いられる。ここで「代表的」として説明されたいかなる実施例または設計も、必ずしも他の実施例より好ましいまたは有利であると解釈されるべきではない。
【００１３】
データおよびパイロットはＯＦＤＭシステムにおいて種々の方法で伝送されるかもしれない。各データストリームは、周波数ダイバーシチを実現するためにシステムの帯域幅全体を使って伝送されるべきである。パイロットも、無線機器がシステムの帯域幅全体に対するチャンネル周波数応答を推定することができるように、システムの帯域幅全体を使って伝送されるべきである。
【００１４】
図１にＯＦＤＭシステムで用いられるかもしれないインターレースサブバンド構造１００を示す。システムは、Ｋ＞１として、全体でＫ個のサブバンドを有するＯＦＤＭ構造を利用する。Ｕ＜Ｋとして、Ｕ個のサブバンドがデータおよびパイロット伝送用に用いられるかもしれない。これらは利用可能なサブバンドと呼ばれる。残りのＧ個のサブバンドは使用されず、ガードサブバンドと呼ばれる。ここでＧ＝Ｋ−Ｕである。一例として、システムは全サブバンドＫ＝４０９６、利用可能なサブバンドＵ＝４０００、およびガードサブバンドＧ＝９６のＯＦＤＭ構造を利用するかもしれない。以下の説明では、簡単のために、全サブバンドＫ個のすべてが利用可能であり、０からＫ−１までのインデックスが割り当てられ、その結果Ｕ＝Ｋ、Ｇ＝０であると仮定する。
【００１５】
Ｋ個の全サブバンドはＭ個のインターレースまたは重なり合っていないサブバンドの組の中に配列されるかもしれない。Ｍ個のインターレースは、重なり合っていないかまたは分離されているため、Ｋ個の全サブバンドの各々はただ１つのインターレースに属している。各インターレースはＰ個のサブバンドを含む。ここでＰ＝Ｋ／Ｍである。各インターレースにあるＰ個のサブバンドは、Ｋ個の全サブバンドにわたって一様に分布されるかもしれない。それによりインターレースの中の連続したサブバンドはＭサブバンド分の間隔をあけられる。例えば、インターレース０はサブバンド０、Ｍ、２Ｍ、・・・を含むかもしれず、インターレース１はサブバンド１、Ｍ＋１、２Ｍ＋１、・・・を含むかもしれず、またインターレースＭ−１はサブバンドＭ−１、２Ｍ−１、３Ｍ−１、・・・を含むかもしれない。Ｋ＝４０９６として上で説明した代表的ＯＦＤＭ構造において、Ｍ＝８のインターレースが形成されるかもしれない。各インターレースは８サブバンドで均等に分離されたＰ＝５１２のサブバンドを含むかもしれない。このようにして各インターレースにおけるＰ個のサブバンドは他のＭ−１個の各インターレース内のＰ個のサブバンドとインターレースされる。
【００１６】
一般に、システムは、任意個数の全体、利用可能、およびガードサブバンドを有する任意のＯＦＤＭ構造を利用するかもしれない。また、任意個数のインターレースが形成されるかもしれない。各インターレースは任意個数のサブバンドおよびＫ個の全サブバンドのいずれか１つを含むかもしれない。インターレースは同一のまたは異なる個数のサブバンドを含むかもしれない。簡単さのために、以下の説明の多くは、Ｍ個のインターレースがあり、各インターレースはＰ個の均等に分布されたサブバンドを含む図１のインターレースサブバンド構造１００に対するものである。このサブバンド構造はいくつかの利点を提供する。第１に、各インターレースはシステム帯域幅全体から取られたサブバンドを含むため、周波数ダイバーシチが実現される。第２に、無線機器は与えられたインターレース上で送られたデータまたはパイロットを、全Ｋ点の高速フーリエ変換（ＦＦＴ）ではなくＰ点の部分ＦＦＴを実行することにより復元することができる。これは無線機器におけるプロセスを簡単化を可能にする。
【００１７】
基地局は、１つ以上のインターレース上で周波数分割多重（ＦＤＭ）化されたパイロットを送信し、無線機器がチャンネル推定、周波数トラッキング、時間トラッキングなどの種々の機能を実行できるようにするかもしれない。パイロットは、パイロットシンボルとも呼ばれる基地局と無線機器の双方が事前に知っている変調シンボルで構成される。無線機器は、受信されたパイロットシンボルおよび既知の送信パイロットシンボルに基づいて無線チャンネルの周波数応答を推定することができる。無線機器は、パイロット伝送用に用いられる各サブバンドにおける無線チャンネルの周波数スペクトルの標本を抽出することができる。
【００１８】
パイロットは、種々のチャネル環境において良好なチャンネル推定と検出性能を確保するような方法で伝送されるかもしれない。パイロットが１つのインターレースで伝送される場合、無線機器はそのインターレース内のＰ個のサブバンドに対してチャンネル周波数応答を推定することができる。次に、無線機器は、そのチャネル周波数応答推定にＰ点逆ＦＦＴ（ＩＦＦＴ）を実行し、Ｐタップのチャネルインパルス応答推定を求めるかもしれない。無線機器は、データ検出のためにＰタップのチャネルインパルス応答推定を用いて基地局によって送信されたデータシンボルを復元するかもしれない。データシンボルはデータ用の変調シンボルである。
【００１９】
チャンネルインパルス応答推定の長さは無線機器によって緩和されるかもしれない遅延拡がり量を決定する。無線チャンネルの遅延拡がりは、無線チャンネルに対するインパルス応答の時間範囲または継続時間である。また、この遅延拡がりは、基地局が無線チャンネルを介して送信した信号に対する無線機器での最も早い到来信号時刻と最も遅い到来信号時刻の差である。Ｐは通常、システムにおいて予想される遅延拡がりに基づいて選択される。実際のチャンネルインパルス応答がＰタップより長い場合、付加的な遅延拡がりが起こる。付加的遅延拡がりは、複数のインターレースでパイロットを伝送することによって処置されるかもしれない。それにより無線機器はより多くのサブバンドで周波数スペクトルを抽出し、したがって、Ｐタップより長いチャンネルインパルス応答推定を導出できる。無線機器がより長いチャンネルインパルス応答推定を導出することを可能にしたまま、パイロット伝送用に用いられるシステム資源の量を制限するために、パイロットは各シンボル期間に１つのインターレースで伝送されるかもしれないが、異なるシンボル期間に異なるインターレースで伝送されるかもしれない。シンボル期間は１つのＯＦＤＭシンボルの継続時間であり、ＯＦＤＭシンボル期間とも呼ばれる。
【００２０】
図２Ａにスタガパイロットによるデータおよびパイロット伝送方式２００を示す。Ｍ＝８のこの例において、各シンボル期間のパイロット用に１つのインターレースが用いられ、残りの７個のインターレースはデータ用に用いられる。パイロット用に用いられるインターレースはパイロットインターレースと呼ばれ、データ用に用いられるインターレースはデータインターレースと呼ばれる。伝送方式２００において、パイロットは指定された２つのインターレース２および６上で交互方式で送られる。その結果偶数番号のシンボル期間にインターレース２上で、奇数番号番号のシンボル期間にインターレース６上でパイロットシンボルが送られる。パイロット用に用いられる２つのインターレースはＭ／２＝４インターレース分スタガされ、または分離される。このスタガリングにより無線機器はより多くのサブバンドに対するチャンネル周波数応答を観測できる。これはチャンネル推定と検出性能を向上させるかもしれない。
【００２１】
各シンボル期間にパイロット伝送に用いるための特定のインターレース（すなわち、パイロットインターレース）は、パイロットのスタガリングパターンに基づいて選択されるかもしれない。種々のスタガリングパターンがパイロット伝送用に用いられるかもしれない。スタガリングパターンの１つの種類において、各シンボル期間に対するパイロットインターレースは以下のように選択されるかもしれない。
【００２２】
m(t) = [m(t -1) +Δm]   mod M     ただし(Δm,M) = 1                式（１）
ここで、Δmは２つの連続したシンボル期間に対するパイロットインターレース差、
m(t)はシンボル期間ｔに対するパイロットインターレース、
modは法操作、
(x,y)=1はｘとｙとが互いに素（すなわちｘとｙの最大公約数が１）を意味する。
【００２３】
異なる値のΔmで異なる「完全な」スタガリングパターンが形成されるかもしれない。完全スタガリングパターンは、Ｍ個のシンボル期間中に、パイロット伝送用にＭ個のインターレースすべてを選択するものである。Δｍ＝１の時の一例として、Ｍ個のインターレースが順次選択され、スタガリングパターンは｛０、１、２、…、Ｍ−１｝と表されるかもしれない。Ｍ＝８の場合、異なる完全スタガリングパターンを得るために、Δｍとして、１、３、５、７が用いられるかもしれない。
【００２４】
図２Ｂに完全スタガパイロットを有するデータおよびパイロット伝送方式２１０を示す。Ｍ＝８のこの例において、各シンボル期間内のパイロット用に１つインターレースが用いられ、残りの７個のインターレースはデータ用に用いられる。伝送方式２１０において、パイロットは式（１）でΔｍ＝３、Ｍ＝８として生成した｛０、３、６、１、４、７、２、５｝のスタガリングパターンを用いて、８個のすべてのインターレース上で送られる。パイロットシンボルは、８個のすべてのインターレース上で各８シンボル期間間隔で送られる。この完全スタガリングパターンにより、無線機器はＫ個のサブバンドすべてに対してチャンネル周波数応答を推定できる。
【００２５】
一般に、１つのパイロットはいずれかの番号のインターレース上で各シンボル期間内のＭ個のインターレースのいずれかで送られるかもしれない。また、パイロットは任意のスタガリングパターンを用いて送られるかもしれない。２つの代表的スタガリングパターンを図２Ａおよび２Ｂに示す。他のスタガリングパターンも用いられるかもしれない。２以上のインターレース上でパイロットを伝送することにより、無線機器は、付加的遅延拡がりに対処するために用いられるかもしれないより長いチャンネルインパルス応答を導出できる。
【００２６】
基地局はＭインターレース上の複数（Ｔ）データストリームを種々の方法で伝送するかもしれない。基地局は、周波数ダイバーシチを実現するために、データストリームが送られる異なるシンボル期間に異なるインターレース上で各データストリームを送信するかもしれない。すべてのデータストリームに対してチャンネル推定と検出特性を平均するために、基地局は各データストリームを、パイロットインターレースとの距離が変化するインターレース上で送信するかもしれない。無線機器は、パイロットインターレース上で受信したパイロットに基いてデータインターレースに対するチャネル推定を導出し、データ検出用にそのチャンネル推定を用いるかもしれない。チャンネル推定の品質はデータインターレースとパイロットインターレース間の距離に依存する。検出特性における劣化量はチャンネル推定品質に依存する。パイロットインターレースに隣接しているデータインターレースについては、チャネル推定品質は最良であり、かつ特性劣化は最小である。パイロットインターレースから最も離れているデータインターレースについては、その逆は真である。各データストリームを、パイロットインターレースとの距離が変化するインターレース上で伝送することにより、チャンネル推定の偏りによる特性劣化を平均化することができる。
【００２７】
Ｍ個のスロットは、データストリームのインターレースへの写像を容易にするように定義されるかもしれない。各スロットは、伝送ユニット、またはデータもしくはパイロットを送るための手段として見なされるかもしれない。データ用に用いられるスロットはデータスロットと呼ばれる。パイロット用に用いられるスロットはパイロットスロットと呼ばれる。Ｍ個のスロットは０からＭ−１のインデックスが割り当てられるかもしれない。スロット０はパイロット用に用いられ、１からＭ−１までのスロットはデータ用に用いられるかもしれない。データストリームはスロット１からＭ−１上で送られるかもしれない。固定インデックスを有するスロットの使用により、データストリームへのスロットの割当を簡易化できる。各スロットは１つのインターレースに１時間インターバルに１つのインターレースへ写像されるかもしれない。Ｍ個のスロットは、周波数ダイバーシチおよび良好なチャネル推定並びに検出特性を実現できるいずれかのスロット−インターレース写像方式に基づいて、異なる時間インターバルにＭ個のインターレースの異なる１つへ写像されるかもしれない。一般に、時間インターバルは１または複数のシンボル期間にわたるかもしれない。以下の説明では、１時間インターバルが、１シンボル期間にわたると仮定する。
【００２８】
種々のスロット−インターレース写像方式がＭ個のスロットをＭ個のインターレスに写像するために用いられるかもしれない。図２Ａの伝送方式２００に適したスロット−インターレース写像方式は以下のように実施されるかもしれない。８個のインターレースは元の系列｛Ｉ０、Ｉ１、Ｉ２、Ｉ３、Ｉ４、Ｉ５、Ｉ６、Ｉ７｝で表される。並べ替えた系列｛Ｉ０、Ｉ４、Ｉ２、Ｉ６、Ｉ１、Ｉ５、Ｉ３、Ｉ７｝は元の系列内の各インターレースを並べ替えた系列内のビット反転位置に置くことによって、形成される。次に短縮系列｛Ｉ０、Ｉ４、Ｉ２／６、Ｉ１、Ｉ５、Ｉ３、Ｉ７｝が、パイロット用に用いられる２つのインターレースを結合することにより形成される。パイロットは、図２Ａに示すように、各シンボル期間のインターレース２または６のいずれかで伝送される。インターレース６または２のいずれかであって、短縮系列内でＩ２／６として表されるパイロット用には用いられないインターレースで、データが送られる。ｍ∈｛１，．．．，７｝に対するデータスロットｍは短縮系列内のｍ番インターレースに写像される。それ以降の各シンボル期間に対し、短縮系列は、２位置分だけ右に循環シフトされ、左へ送り込まれる。データスロットｍは、循環シフトされた短縮系列内のｍ番インターレースに再度写像される。
【００２９】
図３に、上述した第１のスロット−インターレース写像方式に対するスロットからインターレースへの写像３００を示す。パイロットスロット０は伝送方式２００用の交互のシンボル期間にインターレース２および６へ写像される。データスロット１から７は第１のシンボル期間内の短縮系列｛Ｉ０、Ｉ４、Ｉ２／６、Ｉ１、Ｉ５、Ｉ３、Ｉ７｝内の７個のインターレースに写像され、次に、第２のシンボル期間内の循環シフトされた短縮系列｛Ｉ３、Ｉ７、Ｉ０、Ｉ４、Ｉ２／６、Ｉ１、Ｉ５｝に写像され、以下同様に写像される。
【００３０】
図４に第１のスロット−インターレース写像方式のためのパイロットスロット０およびデータスロット１並びに２のインターレースへの写像を示す。図４に示すように、各データスロットは各７−シンボル期間インターバル内の７個の異なるインターレースに写像され、周波数ダイバーシチを実現する。７個のインターレースの１つはインターレース２または６のいずれかである。各データスロットに対するインターレースとパイロットインターレースとの距離は変化する。このように、すべての７個のデータスロットは同じようなチャンネル推定および検出特性を実現するべきである。
【００３１】
図２Ｂの伝送方式２１０に適した第２のスロット−インターレース写像方式は以下のように実施されるかもしれない。インターレース系列は、Ｉｓｅｑ＝｛７、５、０、３、６、１、４｝と定義され、インデックス０から７を有している。距離系列は、Ｄ＝｛７、２、４、６、１、５、３｝と定義され、インデックス１から７を有している。距離系列は７個のデータスロット用のインターレースとパイロット用インターレース間の距離を示す。これらの距離はインターレースオフセットとも呼ばれる。
【００３２】
各シンボル期間ｔに対するパイロットインターレースは、
Ipilot(t)=Iseq{t mod 8}                                              式（２）
で与えられるかもしれない。式（２）は、k=t mod 8としたとき、シンボル期間ｔに対するパイロットインターレースがＩｓｅｑ系列内のｋ番インターレースであることを示す。Ｉｓｅｑ系列内の８個のインターレースはこのように各８−シンボル期間インターバル内に順次選択される。
【００３３】
データスロットについては、各シンボル期間ｔに対し、R(t)=2t mod 7として循環に係数が計算されるかもしれない。距離系列ＤはＲ（ｔ）だけ右へ循環シフトされ、シフトされた系列ＤＲ（ｔ）を得る。シンボル期間ｔの各データスロットｓに対するインターレースは、
Is(t) =［Ipilot(t)+DR(t){s}］ mod 8、  s=1,・・・,7                        式（３）
で与えられるかもしれない。式（２）および式（３）のスロット−インターレース写像は以下のことを保証する。（ａ）パイロットは各８−シンボル期間インターバル内のすべての８個のインターレースで送られる、（ｂ）各データスロットは各７−シンボル期間インターバル内のパイロットインターレーススからの取り得るすべての距離を占有する、および（ｃ）各スロットは各５６−シンボル期間インターバル内にすべて８個のインターレースを正確に７回占有する。
【００３４】
２つの代表的スロット−インターレース写像方式を上で説明した。他のスロット−インターレース写像方式も用いられるかもしれない。これは本発明の範囲内にある。
【００３５】
データストリームは種々の方法でＭ個のスロットに写像されるかもしれない。一般に、各データストリームは１または複数のスロットを用いて送られるかもしれない。複数のデータストリームは時間分割多重（ＴＤＭ）方法で同一のスロットを共有するかもしれない。スロットは、データストリームに対する周波数ダイバーシチおよび同様の特性の実現を心配する必要なく、データストリームへ、より容易に割り当てられるかもしれない。明快さのために、以下の説明の多くは上述した第１および第２のスロット−インターレース写像方式に対するものである。
【００３６】
図５にＯＦＤＭシステムにおける基地局５１０および無線機器５５０のブロック図を示す。基地局５１０は、固定局であり、基地送受信システム（ＢＴＳ）、アクセスポイント、送信機と呼ばれるかもしれないし、または他の用語で呼ばれるかもしれない。無線機器５５０は、固定または移動であるかもしれない。また、ユーザ端末、移動局、受信機と呼ばれるかもしれないし、または他の用語で呼ばれるかもしれない。無線機器５５０は、携帯電話、ハンドヘルドデバイス、無線モジュール、携帯情報端末（ＰＤＡ）などの携帯ユニットであるかもしれない。
【００３７】
基地局５１０において、ＴＸデータプロセッサ５２０は、複数（Ｔ個）のストリームのデータを受信し、データとパイロットを適切なスロットに多重化し、データおよびパイロットを処理（例えば符号化およびインターリーブ）する。チャネル化器５２２は各スロットに対するデータまたはパイロットを処理（例えばスクランブルおよびシンボル写像）し、各スロットを各シンボル期間内のインターレースに写像する。ＯＦＤＭ変調器５２４は、Ｍ個のインターレースに対してＯＦＤＭ変調を実行し、ＯＦＤＭシンボルのストリームを生成する。送信機ユニット（ＴＭＴＲ）５２６は、ＯＦＤＭシンボルストリームを処理（例えばアナログへ変換、増幅、フィルタリング、周波数アップコンバージョン）し、変調信号を生成する。基地局５１０はアンテナ５２８から無線機器へ変調信号を送信する。
【００３８】
無線機器５５０において、基地局５１０からの送信信号はアンテナ５５２で受信され、受信機ユニット（ＲＣＶＲ）５５４に送られる。受信機ユニット５５４は受信信号を調整（例えば、フィルタリング、増幅、周波数ダウンコンバージョン、ディジタル化）し、入力サンプルのストリームを生成する。ＯＦＤＭ復調器（Ｄｅｍｏｄ）５６０は受信データおよびパイロットシンボルを生成するために入力サンプルにＯＦＤＭ復調を実行し、受信データシンボル検出を実行し、検出データシンボルを出力する。このデータシンボルは基地局５１０が送ったデータシンボルの推定値である。逆チャネル化器５６２は、インターレースをスロットに写像し、さらに各注目スロットを処理（例えば、シンボルの逆写像および逆スクランブル）する。次に、ＲＸデータプロセッサ５６４は各注目データストリームに対する検出データシンボルを処理（例えば、逆インターリービングおよび復号）し、そのストリームに対する復号データを出力する。一般に、ＯＦＤＭ復調器５６０、逆チャネル化器５６２、およびＲＸデータプロセッサ５６４による処理は、基地局５１０におけるＯＦＤＭ変調器５２４、チャネル化器５２２、およびＴＸデータプロセッサ５２０による処理と相補的である。
【００３９】
制御ユニット５４０および５８０はそれぞれ基地局５１０および無線機器５５０における操作を指示する。メモリユニット５４２および５８２はそれぞれ制御ユニット５４０および５８０によって用いられるプログラムコードおよびデータを格納する。制御ユニット５４０またはスケジューラ５４４はスロットをデータストリームに割り当てるかもしれない。
【００４０】
図６に基地局５１０におけるＴＸデータプロセッサ５２０およびチャネル化器５２２の一実施例を示す。ＴＸデータプロセッサ５２０はパイロットプロセッサ６１０、デマルチプレクサ（Ｄｅｍｕｘ）６１２、およびＭ−１個のデータスロット用のＭ−１個のＴＸスロットデータプロセッサ６２０ａから６２０ｇを含む。パイロットプロセッサ６１０はパイロットスロット用にＦＤＭパイロットを生成する。
【００４１】
デマルチプレクサ６１２は、送信すべきデータストリームを受信し、これらのストリームに割り当てられたスロットを示す制御信号を受信し、さらにこれらのストリームに対するデータパケットを割り当てられたスロットに対するＴＸスロットデータプロセッサ６２０へ伝送する。各ＴＸスロットデータプロセッサ６２０内で、符号器６２２は、符号化方式に従ってデータパケットを符号化し、符号化パケットを出力する。符号化方式はターボ符号、畳み込み符号、リード−ソロモン符号のようなブロック符号、巡回冗長検査（ＣＲＣ）などを含むかもしれない。インターリーバ６２４はインターリーブ方式に従って符号化パケット内のビットをインターリーブ（または、リオーダ）する。Ｍ−１個のＴＸスロットデータプロセッサ６２０ａから６２０ｇは、それぞれデータスロット１からＭ−１に対するインターリーブされたパケットを出力する。
【００４２】
チャネル化器５２２はパイロットチャネル化器６３０、Ｍ−１個のデータスロットに対するデータチャネル化器６４０ａから６４０ｇ、およびスロット−インターレース変換器６５０を含む。パイロットチャネル化器６３０は、パイロットに対してチャネル化を実行し、パイロットスロット用パイロットシンボルを出力する。データチャネル化器６４０ａから６４０ｇは、それぞれＴＸスロットデータプロセッサ６２０ａから６２０ｇからの出力を受信する。各データチャネル化器６４０内で、スクランブラ６４２は、インターリーブされたビットを擬似乱数（ＰＮ）系列を用いてスクランブルしビットをランダム化する。Ｍ個の異なるＰＮ系列がＭ個のスロットに用いられるかもしれない。ビットからシンボルへの写像器６４４はスクランブルされたビットを変調シンボルへスロットに対して選択された変調方式（例えば、ＰＳＫまたはＱＡＭ）に従って写像し、スロットに対するデータシンボルを出力する。シンボルからサブバンドへの写像器６４６は、各スロットに対するデータシンボルをスロットが写像されるインターレース内の適切なサブバンドに写像する。スロットバッファ６４８は後続処理のためにデータシンボルを格納する。スロットバッファ６４８は、スロットの処理経路内の他の場所に配置されるかもしれない。
【００４３】
スロット−インターレース変換器６５０は、システムが用いるスロット−インターレース写像方式に基づき各スロットを各シンボル期間内の適切なインターレースへ写像する。変換器６５０は、各シンボル期間のＭ個のインターレースに対するパイロットおよびデータシンボルを出力する。
【００４４】
図７Ａにスロット−インターレース変換器６５０ａを示す。これは、図３に示した第１のスロット−インターレース変換方式のための図６のスロット−インターレース変換器６５０の一実施例である。この実施例では、変換器６５０ａは、第１段の７個のマルチプレクサ（Ｍｕｘ）７１０ａから、および第２段の２個のマルチプレクサ７１２ａ並びに７１２ｂを含む。各マルチプレクサ７１０は、７個の入力において７個のデータスロットを受信し、その出力において１つのデータスロットを出力する。各マルチプレクサ７１０において、７個の入力は順次選択され、７個のシンボル期間の出力に提供する。このように、第１の入力は第１のシンボル期間の出力に提供され、第２の入力は第２のシンボル期間の出力に提供され、以下同様となる。各マルチプレクサ７１０において、７個の入力に対するデータスロットは第１のスロット−インターレース写像方式により決定される。一例として、マルチプレクサ７１０ａはシンボル期間０、１、２、３、４、５、６にインターレース０に対してデータスロット１、３、５、７、２、４、６をそれぞれ提供する。したがって、データスロット１、３、５、７、２、４、６がマルチプレクサ７１０ａの７個の入力に提供される。別の例として、マルチプレクサ７１０ｂはシンボル期間０、１、２、３、４、５、６にインターレース１に対するデータスロット４、６、１、３、５、７、２をそれぞれ出力し、従って、７個の入力でこれらの７個のデータスロットを受信する。残りのマルチプレクサ７１０に対する入力は同様の方法で決定される。
【００４５】
マルチプレクサ７１０ｆはインターレース２および６に対するデータスロットを受信し、その出力を、パイロットスロット０も受信するマルチプレクサ７１２ａおよび７１２ｂの双方に提供する。マルチプレクサ７１２ａは、パイロットスロットを偶数番のシンボル期間にインターレース２へ提供し、データスロットを奇数番のシンボル期間にインターレース２へ提供する。マルチプレクサ７１２ｂは、パイロットスロットを奇数番のシンボル期間にインターレース６へ提供し、データスロットを偶数番のシンボル期間にインターレース６へ提供する。
【００４６】
制御ユニット７２０はマルチプレクサ７１０と７１２のための制御を発生する。第１のスロット−インターレース写像方式において、制御ユニット７２０はマルチプレクサ７１０の第１段のための法７(modulo-7)のカウンタ、およびマルチプレクサ７１２の第２段のための法２のカウンタを含むかもしれない。法７のカウンタは、ゼロから６までカウントし、次に０へ戻り、以下同様であり、すべてのマルチプレクサ７１０へ３ビットの制御信号を提供する。各マルチプレクサ７１０は、３ビットの制御信号に基づいて、７個のシンボル期間の７個の入力全体を循環する。法２のカウンタは、０から１までカウントし、次に０へ戻り、以下同様であり、両マルチプレクサ７１２へ１ビットの制御信号を提供する。１ビットの制御信号は各マルチプレクサ７１２の２つの入力を交互に選択する。２つのカウンタは適切な時（例えば、各スーパーフレームの始まり時点）にリセットされるかもしれない。
【００４７】
図７Ｂにスロット−インターレース変換器６５０ｂを示す。これは、第１のスロット−インターレース変換方式のための図６のスロット−インターレース変換器６５０の他の実施例である。本実施例では、変換器６５０ｂは、８個のインターレース用に一段の全部で８個のマルチプレクサ、すなわち６個のマルチプレクサ７１０ａから７１０ｇおよび２個のマルチプレクサ７３２ａおよび７３２ｂを含む。マルチプレクサ７１０ａから７１０ｇは、上で図７Ａで説明したように、７個の入力において７個のデータスロットを受信し、出力をそれぞれインターレース０、１、３、４、５、７に提供する。マルチプレクサ７３２ａは８個の入力において７個のデータスロット５、２、６、３、７、４、１およびパイロットスロット０を受信し、インターレース２用の出力を提供する。マルチプレクサ７３２ｂは８個の入力において７個のデータスロット３、７、４、１、５、２、６およびパイロットスロット０を受信し、インターレース６用の出力を提供する。
【００４８】
制御ユニット７４０は、７個の入力における７個のシンボル期間の７個のデータスロットを順次選択する第１の制御信号をマルチプレクサ７１０ａから７１０ｇに提供する。制御ユニット７４０は、７個の奇数番のシンボル期間の７個のデータスロットを順次選択し、また偶数番のシンボル期間のパイロットスロット０を選択する第２の制御信号をマルチプレクサ７３２ａに提供する。制御ユニット７４０は、７個の偶数番のシンボル期間の７個のデータスロットを順次選択し、また奇数番のシンボル期間のパイロットスロット０を選択する第３の制御信号をマルチプレクサ７３２ｂに提供する。
【００４９】
図７Ｃにスロット−インターレース変換器６５０ｃを示す。これは、図６のスロット−インターレース変換器６５０のさらに他の実施例である。本実施例では、変換器６５０ｃは、８個のインターレース０から７それぞれに対応する一段の８個のマルチプレクサ７５０ａから７５０ｈを含む。各マルチプレクサ７５０は、８個の入力においてスロット０から７を受信し、各シンボル期間の関連インターレースへ１つのスロットを提供する。制御ユニット７６０は、マルチプレクサ７５０ａから７５０ｈ用の制御信号を出力する。各マルチプレクサ７５０に対する制御信号は、各シンボル期間の関連インターレースへ提供するために適切なスロットを選択する。変換器６５０ｃは、マルチプレクサ７５０に対して適切な制御信号を生成することにより、いずれのスロット−インターレース写像方式も実施できる
図８にスロット−インターレース変換器６５０ｄを示す。これは、図６のスロット−インターレース変換器６５０のさらに他の実施例である。８個のスロットに対するデータおよびパイロットシンボルは、スロットバッファ８１０ａから８１０ｈに格納される。８個のインターレースに対するデータおよびパイロットシンボルは、インターレースバッファ８２０ａから８２０ｈに格納される。各スロットバッファ８１０は、図６の１つのスロットバッファ６４８に対応するかもしれない。データバス８３０は、データ／パイロットをスロットバッファ８１０からインターレースバッファ８２０へ転送するために用いられる。選択線８１２は任意の与えられた時に８個のスロットバッファ８１０の１つを選択する。選択線８２２は任意の与えられた時に８個のインターレースバッファ８２０の１つを有効とする。ＳＩＣ制御ユニット８５０は選択線８１２と８２２を生成し、その結果、選択されたスロットバッファ８１０からのシンボルはデータバス８３０を介して選択されたインターレースバッファ８２０へ転送される。
【００５０】
図９Ａに、ＳＩＣ制御ユニット８５０ａを示す。これは、第１のスロット−インターレース写像方式のためのＳＩＣ制御ユニット８５０の一実施例である。本実施例では、ＳＩＣ制御ユニット８５０ａはスロット番号およびシンボル番号入力を受信し、インターレース番号出力を出力する。シンボル番号は現在のシンボル期間ｔを示す。与えられたシンボル期間に対し、ユニット８５０ａは与えられたスロット（スロット番号）に、使用するインターレース（インターレース番号）を提供する。
【００５１】
図９Ａに示す実施例では、ＳＩＣ制御ユニット８５０ａは、第１段の２個のマルチプレクサ９１０ａ並びに９１０ｂ、および第２段の７個のデータスロット１から７に対する７個のマルチプレクサ９１２ａから９１２ｇを含む。マルチプレクサ９１０ａはインターレース２および６を受信し、偶数番号のシンボル期間にインターレース２を出力し、奇数番号のシンボル期間にインターレース６を出力する。マルチプレクサ９１０ｂもインターレース２および６を受信し、偶数番号のシンボル期間にインターレース６を出力し、奇数番号のシンボル期間にインターレース２を出力する。各マルチプレクサ９１２は、７個の入力において７個のデータインターレースを受信し、出力において１つのデータインターレースを出力する。各マルチプレクサ９１２において、７個の入力は７個のシンボル期間に順次選択され、出力に提供される。このように、１番目の入力は１番目のシンボル期間の出力に提供され、２番目の入力は２番目のシンボル期間の出力に提供され、以下同様となる。各マルチプレクサ９１２において、７個の入力に対するインターレースは第１のスロット−インターレース写像方式により決定される。一例として、マルチプレクサ９１２ａはシンボル期間０、１、２、３、４、５、６にデータスロット１に対するインターレース０、３、１、４、７、５、６をそれぞれ出力する。したがって、インターレース０、３、１、４、７、５、６がマルチプレクサ９１２ａの７個の入力に提供される。別の例として、マルチプレクサ９１２ｂはシンボル期間１、２、３、４、５、６、７にデータスロット２および１に対するインターレース４、７、５、２、０、３、をそれぞれ出力し、従って、７個の入力においてこれらのインターレースを受信する。残りのマルチプレクサ９１２に対する入力は同様の方法で決定される。マルチプレクサ９１６は、８個の入力における８個のスロットに対するインターレースを受信し、スロット番号で指示されたスロットに対するインターレースを出力する。
【００５２】
制御ユニット９２０はマルチプレクサ９１０および９１２のための制御信号を生成する。制御ユニット９２０内で、法２のカウンタ９２２および法７のカウンタ９２４は各シンボル期間にシンボル番号入力により１ずつ増やされる。カウンタ９２２からの１ビットの出力は各マルチプレクサ９１０の２個の入力の１つを選択する。カウンタ９２４からの３ビットの出力は各マルチプレクサ９１２の７個の入力の１つを選択する。
【００５３】
図９ＢにＳＩＣ制御ユニット８５０ｂを示す。これは上述した第２のスロット−インターレース写像方式のためのＳＩＣ制御ユニット８５０の一実施例である。ユニット８５０ｂ内で、マルチプレクサ９６０は８個の入力においてパイロットスロットに対する８個のインターレースを受信し、これらの入力を順次選択し、選択されたインターレースＩｐｉｌｏｔ（ｔ）をパイロットインターレースとして出力する。マルチプレクサ９６０は式（２）を実施する。マルチプレクサ９６２ａから９６２ｇは、それぞれデータスロット１から７に対するインターレースオフセットを出力する。各マルチプレクサ９６２は、７個の入力において異なるシンボル期間に対するインターレースオフセットを受信し、これらの入力を順次選択し、関連するデータスロットに対する選択したインターレースオフセットＤＲ（ｔ）｛ｓ｝を出力する。各マルチプレクサ９６２において、７個の入力に対するインターレースオフセットは第２のスロット−インターレース写像方式により決定される。法８の加算器９６４ａから９６４ｇは、それぞれマルチプレクサ９６０からのパイロットインターレースおよびマルチプレクサ９６２ａから９６２ｇからのインターレースオフセットを受信する。各加算器９６４は、式（３）に示す２つの入力Ｉｐｉｌｏｔ（ｔ）およびＤＲ（ｔ）｛ｓ｝に法８の加算を実行し、関連するデータスロットに対するインターレースＩｓ（ｔ）を出力する。マルチプレクサ９６６は、８個の入力における８個のスロットに対するインターレースを受信し、スロット番号で指示されるスロットにインターレースを提供する。
【００５４】
制御ユニット９７０はマルチプレクサ９６０および９６２用の制御信号を生成する。制御ユニット９７０内で、法８のカウンタ９７２、および法７のカウンタ９７４は各シンボル期間にシンボル番号入力により１ずつ増やされる。カウンタ９７２からの３ビットの出力は各マルチプレクサ９６０の８個の入力の１つを選択する。カウンタ９７４からの３ビットの出力は各マルチプレクサ９６２の７個の入力の１つを選択する。
【００５５】
図７Ａから図９Ｂにスロット−インターレース変換器６５０の種々の実施例を示す。変換器６５０は他の設計によっても実施されるかもしれない。これは、本発明の範囲内にある。スロット−インターレース変換器６５０は種々の手段、例えば図７Ａから図７Ｃまでに示したようなマルチプレクサ、図８に示したような選択可能なメモリバンクを介した手段、もしくは他の方法を介した手段、を用いてデータおよびパイロットをスロットからインターレースへ伝達するかもしれない。スロット−インターレース変換はデータ経路またはＳＩＣ制御ユニットにおいて実行されるかもしれない。
【００５６】
ハードウェア量を減少させ、マルチプレクサ用の制御信号の生成を簡素化するために、例えば図７Ａ、９Ａ、９Ｂに示すような多段階マルチプレクサが、あるスロット−インターレース写像方式に用いられるかもしれない。一段のＭ個のマルチプレクサがＭ個のインターレースおよびスロット用に用いられるかもしれない。例えば各マルチプレクサは、例えば図７Ｂおよび７Ｃに示すように、Ｍ個のスロットを受信し、各シンボル期間の関連するインターレースに１つのスロットを提供するかもしれない。スロットは、例えば、図７Ａおよび７Ｂに示すように、スロット−インターレース写像方式で決定される並べ替えた順序でマルチプレクサ入力に提供されるかもしれない。この並べ替えた順序により、マルチプレクサが共通制御信号を共有できるかもしれない。この信号は法カウンタで、より容易に生成されるかもしれない。スロットは図７Ｃに示すように線形順序でマルチプレクサ入力に提供されるかもしれない。適切な制御信号が、各シンボル期間に対して適切な入力を選択するために各マルチプレクサに提供されるかもしれない。
【００５７】
図１０に基地局５１０におけるＯＦＤＭ変調器５２４の一実施例のブロック図を示す。ＯＦＤＭ変調器５２４内で、インターレース０から７に対するパイロットおよびデータシンボルは、それぞれ８個のバッファ１０１２ａから１０１２ｈへ提供される。これらはそれぞれ図８のインターレースバッファ８２０ａから８２０ｈに対応するかもしれない。各シンボル期間において、マルチプレクサ１０１４は、各バッファ１０１２からのＰ個のデータまたはパイロットシンボルをＩＦＦＴユニット１０２０へ提供する。各シンボル期間において、ＩＦＦＴユニット１０２０は、Ｋ個の全サブバンドに対するＫ個のシンボルをＫ点ＩＦＦＴを用いて時間領域に変換し、Ｋ個の時間領域サンプルを含む変換されたシンボルを出力する。周波数選択性フェージングに起因するシンボル間干渉（ＩＳＩ）に対処するために、循環プレフィックス発生器１０２２は、各変換されたシンボルのＣ個のサンプルを繰り返し、Ｋ＋Ｃ個のサンプルを含むＯＦＤＭシンボルを形成する。繰り返された部分はしばしば循環プレフィックスまたはガードインターバルと呼ばれる。例えば、循環プレフィックスの長さはＣ＝Ｐであるかもしれない。各ＯＦＤＭシンボルはＫ＋Ｃサンプル期間である１シンボル期間で伝送される。循環プレフィックス発生器は１０２２はＯＦＤＭシンボルのストリームを出力する。
【００５８】
図１１に無線機器５５０におけるＯＦＤＭ復調器５６０の一実施例のブロック図を示す。ＯＦＤＭ復調器５６０内で、循環プレフィックス除去ユニット１１１２は、各受信ＯＦＤＭシンボル内の循環プレフィックスを除去し、そのＯＦＤＭシンボルのＫ個の入力サンプルを出力する。ＦＦＴユニット１１１４は、各ＯＦＤＭシンボルに対するＫ個の入力サンプルにＫ点のＦＦＴを実行し、Ｋ個のサブバンドにＫ個の受信シンボルを提供する。各シンボル期間に、デマルチプレクサ１１１６は、パイロットインターレースからの受信パイロットシンボルをチャンネル推定器１１１８へ送り、またＭ−１個のデータインターレースに対する受信データシンボルをＭ個の検出器１１２０ａから１１２０ｈのＭ−１個に送る。チャンネル推定器１１１８は、受信パイロットシンボルに基づいて各データインターレースに対するチャネル利得を導出する。各検出器１１２０は、データインターレースに対する受信データシンボルの検出（例えば、等化または整合フィルタリング）をそのインターレースに対するチャネル利得を用いて実行し、そのインターレースに対するＰ個の検出データシンボルを関連のバッファ１１２２へ提供する。図１１には示さないが、ＦＦＴユニット１１１４は各注目インターレースに対するＫ個の入力サンプルにＰ点の部分ＦＦＴを実行し、そのインターレース内のＰ個のサブバンドに対するＰ個の受信シンボルを出力するかもしれない。その結果、チャンネル推定および検出はすべてのインターレースの代わりに各注目インターレースに対して実行されるかもしれない。
【００５９】
図１２に無線機器５５０における逆チャネル化器５６２およびＲＸデータプロセッサ５６４の一実施例を示す。逆チャネル化器５６２内で、インターレース−スロット変換器１２１０は、システムで用いられるスロット−インターレース写像方式に基づいて、各データインターレースを各シンボル期間の適切なスロットへ写像する。各シンボル期間に、変換器１２１０はＭ−１個のデータスロットに対する検出したデータシンボルをＭ−１個の逆チャネル化器１２２０ａから１２２０ｇへ提供する。各データ逆チャネル化器１２２０は、スロットバッファ１２２２、シンボルからサブバンドへの逆写像器１２２４、シンボルからビットへの逆写像器１２２６、およびデスクランブラ１２２８を含む。これらは基地局５１０におけるデータチャネル化器６４０により実行される処理と相補的な処理を実行するものである。
【００６０】
ＲＸデータプロセッサ５６４はＭ−１個のデータスロットに対するＭ−１個のＲＸスロットデータプロセッサ１２３０ａから１２３０ｇを含む。各ＲＸスロットデータプロセッサ１２３０は、逆インターリーバ１２３２および復号器１２３４を含む。これらは１つの逆チャネル化器１２２０からの出力を受信し、基地局５１０においてＴＸスロットデータプロセッサ６２０により実行される処理と相補的な処理を実行するものである。デマルチプレクサ１２４０はＲＸスロットデータプロセッサ１２３０からの復号されたデータを適切なデータストリームに逆多重化する。
【００６１】
図１３Ａにインターレース−スロット変換器１２１０ａを示す。これは図３に示す第１のスロット−インターレース写像方式のための図１２のインターレース−スロット変換器１２１０の一実施例である。本実施例では、変換器１２１０ａは第１段の１つのマルチプレクサ１３１０および７個のデータスロット１から７にそれぞれ対応する第２段の７個のマルチプレクサ１３１２ａから１３１２ｇを含む。マルチプレクサ１３１０は、インターレース２および６を受信し、インターレース２を奇数番号のシンボル期間に出力し、インターレース６を偶数番号のシンボル期間に出力する。各マルチプレクサ１３１２は、７個の入力において各シンボル期間に対する７個のデータインターレースを受信し、関連データスロットに対して１つのデータインターレースを出力する。各マルチプレクサ１３１２において、７個の入力は７個のシンボル期間に順次選択され、出力に提供される。各マルチプレクサ１３１２において、７個の入力に対する７個のインターレースは第１のスロット−インターレース写像方式により決定される。一例として、マルチプレクサ１３１２ａはシンボル期間０、１、２、３、４、５、６にデータスロット１に対してインターレース０、３、１、４、７、５、６をそれぞれ出力する。したがって、インターレース０、３、１、４、７、５、６がマルチプレクサ１３１２ａの７個の入力に提供される。残りのマルチプレクサ１３１２に対する入力は同様の方法で決定される。制御ユニット１３２０はマルチプレクサ１３１０に対する第１の制御信号およびマルチプレクサ１３１２ａから１３１２ｇに対する第２の制御信号を出力する。
【００６２】
図１３Ｂにインターレース−スロット変換器１２１０ｂを示す。これは図１２のインターレース−スロット変換器１２１０の他の実施例である。本実施例では、変換器１２１０ｂは８個のスロット０から７にそれぞれ対応する一段の８個のマルチプレクサ１３５０ａから１３５０ｈを含む。各マルチプレクサ１３５０は、８個の入力においてインターレース０から７を受信し、関連スロットに対する１つのインターレースを出力する。制御ユニット１３６０はマルチプレクサ１３５０ａから１３５０ｈ用の制御信号を生成する。各マルチプレクサ１３５０用の制御信号は、各シンボル期間に関連スロットに提供するために適切なインターレースを選択する。変換器１３５０ｂはマルチプレクサ１３５０用の適切な制御信号を発生させることによりいかなるスロット−インターレース写像方式も実施することができる。
【００６３】
インターレース−スロット変換器１２１０は、インターレースおよびスロット用の２つのバッファバンクを有する図８に示す構造により実施されるかもしれない。
【００６４】
ここに説明した多重化方法は上述したように基地局から無線機器への順方向回線（または下り回線）上のデータおよびパイロット伝送用に用いられるかもしれない。これらの手法は、また無線機器から基地局への逆方向回線（または上り回線）上のデータおよびパイロット伝送用に用いられるかもしれない。
【００６５】
ここに説明した多重化方法はハードウェア、ソフトウェア、またはそれらの組み合わせで実施されるかもしれない。データおよびパイロットの多重化用に用いられるユニット（例えば、図６のスロット−インターレース変換器６５０および図１２のインターレース−スロット変換器１２１０）は、１つ以上の特定用途向ＩＣ（ＡＳＩＣ）、ディジタル信号プロセッサ（ＤＳＰ）、ディジタル信号処理デバイス（ＤＳＰＤ）、プログラマブル論理回路（ＰＬＤ）、プログラマブルゲートアレイ（ＦＰＧＡ）、プロセッサ、コントローラ、マイクロコントローラ、マイクロプロセッサ、ここに説明した機能を実行するように設計された他の電子ユニット、またはそれらの組み合わせで実施されるかもしれない。変換器用制御ユニットはハードウェアおよび／またはソフトウェアで実施されるかもしれない。ソフトウェアプログラムは、メモリユニット（例えば、図５のメモリユニット５４２または５８２）に格納され、プロセッサ（例えば、制御器５４０または５８０）によって実行されるかもしれない。
【００６６】
開示した実施例のこれまでの説明は、いずれの当業者も本発明を製造しまたは用いることが可能なように提供されている。これらの実施例への種々の変更は当業者に容易に明らかになるだろう。ここに定義された一般的な原則は、本発明の精神または範囲から逸脱することなく他の実施例に適用されるかもしれない。したがって、本発明は、ここに示した実施例に制限することを意図していず、ここに開示した原理および新規な特徴に矛盾しない最も広い範囲と一致するということである。
【図面の簡単な説明】
【００６７】
【図１】ＯＦＤＭシステム用のインターレースサブバンド構造。
【図２Ａ】代表的なデータおよびパイロット伝送方式。
【図２Ｂ】代表的なデータおよびパイロット伝送方式。
【図３】第１のスロット−インターレース写像方式。
【図４】第１のスロット−インターレース写像方式に対する、１つのパイロットスロットおよび２つのデータスロットのインターレースへの写像。
【図５】基地局および無線機器のブロック図。
【図６】送信（ＴＸ）データプロセッサおよびチャネル化器。
【図７Ａ】スロット−インターレース変換器の実施例。
【図７Ｂ】スロット−インターレース変換器の実施例。
【図７Ｃ】スロット−インターレース変換器の実施例。
【図８】スロット−インターレース変換器の他の実施例。
【図９Ａ】ＳＩＣ制御ユニットの実施例。
【図９Ｂ】ＳＩＣ制御ユニットの実施例。
【図１０】ＯＦＤＭ変調器。
【図１１】ＯＦＤＭ復調器。
【図１２】逆チャネル化器および受信（ＲＸ）データプロセッサ。
【図１３Ａ】インターレース−スロット変換器の実施例。
【図１３Ｂ】インターレース−スロット変換器の実施例。
【図１】
2007538477.tif 000003
【図２Ａ】
2007538477.tif 000004
【図２Ｂ】
2007538477.tif 000005
【図３】
2007538477.tif 000006
【図４】
2007538477.tif 000007
【図５】
2007538477.tif 000008
【図６】
2007538477.tif 000009
【図７Ａ】
2007538477.tif 000010
【図７Ｂ】
2007538477.tif 000011
【図７Ｃ】
2007538477.tif 000012
【図８】
2007538477.tif 000013
【図９Ａ】
2007538477.tif 000014
【図９Ｂ】
2007538477.tif 000015
【図１０】
2007538477.tif 000016
【図１１】
2007538477.tif 000017
【図１２】
2007538477.tif 000018
【図１３Ａ】
2007538477.tif 000019
【図１３Ｂ】
2007538477.tif 000020
【国際調査報告】
2007538477.tif 000021
2007538477.tif 000022
2007538477.tif 000023